(57)【特許請求の範囲】
【請求項１】
電力系統の事故時に開閉器が開放する監視制御システムにおける監視制御システム用シミュレータであって、
開閉器に動作条件と動作シーケンスとを監視データとして設定するとともに、監視データを集約して一つの事故データとして登録して、事故データに集約した複数の監視データを監視し、想定した事故シミュレーションにおける動作条件が成立したときのみ、成立した動作条件の開閉器の動作シーケンスが自動実行されて、前記監視制御システムの事故シミュレーション動作状態をディスプレーに表示させることを特徴とする監視制御システム用シミュレータ。
【請求項２】
前記電力系統が複数の母線を有し、それぞれの母線に複数の断路器が接続されており、前記複数の母線に接続された複数の断路器のうち少なくとも１個ずつの断路器の１次側を共通接続して電力供給側の開閉器を介して電力供給系統に接続すると共に、前記とは異なる少なくとも１個ずつの断路器の各２次側を共通接続して電力出力側の開閉器を介して電力出力系統に接続したことを特徴とする請求項１に記載の監視制御システム用シミュレータ。
【請求項３】
前記電力供給側の断路器が複数組あり、それぞれ異なる電力供給系統に接続すると共に、前記電力出力側の断路器が複数組あり、それぞれ異なる電力出力系統に接続したことを特徴とする請求項２に記載の監視制御システム用シミュレータ。
【発明の詳細な説明】
【０００１】
【発明の属する技術分野】
本発明は監視制御システム用シミュレータに関し、詳しくは、例えば、電力系統監視制御システムの事故シミュレーションによる訓練時の指導員の負担を軽減すると共に、各種の事故シミュレーションへの変更・追加が可能、かつ、容易な監視制御システム用シミュレータに関するものである。
【０００２】
【従来の技術】
今日、あらゆる分野で各種の監視制御システムが採用されている。例えば、電力会社においては、電力系統の事故発生による停電は、工場などの大口需要家は元より一般家庭に至るまで、多大な迷惑および／または損害を与えることとなるため、停電の発生を無くすことが必要である。
【０００３】
しかしながら、落雷事故など自然現象による停電は、皆無にすることは事実上不可能であり、一般に、停電が発生すると、それを検知してコージェネレータなどに切り換えて給電することによって、停電時間を極力短くするようにしている。しかしながら、コージェネレータによる対応策は、緊急時の一時避難的なものであるため、万一、停電事故が発生した場合は、その原因となる事故の発生場所または事故内容を早急に把握すること、および早急に復旧することが不可欠である。
【０００４】
そのため、電力会社では、給電制御所やその給電制御指令に基づいて運用を行なう電力センターなどの運転員に対して、日頃から各種の事故を想定した事故シミュレーションによって、事故発生場所や事故内容の把握や復旧が、迅速、かつ、正確に実施できるようにするための訓練を行なっている。
【０００５】
このような事故シミュレーションを、監視制御システムに実装するためには、従来、次の２つの方法が採られていた。
１．事故時表示される故障表示や、動作開閉器をシナリオ的に登録する方式（以下、「シナリオ事故設定方式」という）。
２．各リレーをソフト化し、それぞれのリレーのデータや、事故点におけるリレーの動作を予めシステムに組み込む方式（以下、「組み込み事故設定方式」という）。
【０００６】
【発明が解決しようとする課題】
前者の「シナリオ事故設定方式」は、電力系統復旧中における再発事故の訓練ケースの場合、訓練員が操作すると考えられる全てのケースごとに、事故再発生用シナリオを作成する必要がある他、再発事故の起動タイミングなど訓練状況に合わせた操作が必要になり、指導員の負担が著しく大きくなるという問題点があった。
【０００７】
また、後者の「組み込み事故設定方式」では、電力系統拡充や事故点の変更・追加の都度、ソフトウェアの変更が不可欠になり、操作が極めて煩雑であるのみならず、改造コストが掛かるという問題点があった。
【０００８】
したがって、本発明は、指導員の負担を軽減するとともに、事故点の変更・追加の都度、ソフトウェアの変更が不要な監視制御システム用シミュレータを提供することを目的とするものである。
【０００９】
【課題を解決するための手段】
本発明の請求項１に記載された監視制御システム用シミュレータは、上記課題を解決するために、電力系統の事故時に開閉器が開放する監視制御システムにおける監視制御システム用シミュレータであって、開閉器に動作条件と動作シーケンスとを監視データとして設定するとともに、監視データを集約して一つの事故データとして登録して、事故データに集約した複数の監視データを監視し、想定した事故シミュレーションにおける動作条件が成立したときのみ、成立した動作条件の開閉器の動作シーケンスが自動実行されて、前記監視制御システムの事故シミュレーション動作状態をディスプレーに表示させることを特徴とするものである。
【００１０】
ここで、上記の「監視制御システム」なる用語は、電力系統における監視制御システムを含むことを意味する。
【００１１】
また、上記の「事故シミュレーション」なる用語は、上記のような監視制御システムにおいて、各種の事故を想定したシミュレーションにより、事故発生場所（箇所）や事故内容の把握、およびその復旧操作などの訓練に供するものを全て含むことを意味する。
【００１２】
さらに、上記の「監視制御システムを構成する制御機器」なる用語は、上記の監視制御システムを構成する全ての能動的または受動的機器、あるいはそれらの動作によって制御される機器などを含むことを意味する。
【００１３】
さらにまた、上記の「動作条件」なる用語は、事故によって動作する機器が、動作するために必要十分な条件を意味する。
【００１４】
また、上記の「動作シーケンス」なる用語は、想定された事故に基づいて動作する全ての機器について、それぞれ経時的に動作する動作順序，動作状態および動作タイミングなどを含むことを意味する。
【００１５】
さらにまた、上記の「ディスプレー」なる用語は、監視制御システムの系統図、制御指令、制御状態などを表示できるものであることを意味し、好適には、例えば、投射型プロジェクタによって構成されるものを意味する。
【００１６】
上記の監視制御システム用シミュレータによれば、事故データと実運用設備のホストコンピュータに登録された実運用設備の機器データとに基づいて、指導員が監視制御システムにおける任意の事故を想定して、監視制御システムを構成する機器の動作状態をディスプレー上に表示して訓練員に提示することができ、その提示された表示内容によって、訓練員が事故の発生場所や発生した事故内容を把握することができると共に、その発生事故に対して必要な復旧操作を考えて、電源系統の復旧を行なう訓練ができる。
【００１７】
したがって、指導員は、訓練員によって報告された事故の発生場所や事故内容の把握が正しいかどうか、判断・指導することができると共に、その報告された事故の発生場所や事故内容の把握が正しい場合は、さらに、その復旧操作が正しいかどうか、判断・指導することができる。
【００１８】
また、訓練員によって報告された事故の発生場所や事故内容の把握が間違っている場合は、コンピュータに登録された事故データに基づいて、直ちに、もし、訓練員によって報告された事故の発生場所や事故内容の場合は、このようになるといった具合に、想定事故の変更・追加をすることが可能であり、しかも、その際に、前述の「シナリオ事故設定方式」のように、指導員が一々事故再発生用シナリオを作成することが不要であり、また、前述の「組み込み事故設定方式」のように、その都度ソフトウェアを変更することが不要であるため、指導員の負担が著しく軽減されるのみならず、その変更・追加を極めて短時間で実施できるので、訓練効果を高めることができる。
【００１９】
上記の監視制御システム用シミュレータによれば、電力会社において、電力系統の監視制御システムの事故シミュレーションが可能になり、例えば、給電所や給電制御所または電力センターにおいて、事故データと実運用設備におけるホストコンピュータに登録されている実運用設備の機器データを、事故シミュレーション訓練用コンピュータに取り込んで、事故シミュレーションを実施することができる。
【００２０】
監視制御システム用シミュレータによれば、遮断対象の開閉器ごとに動作条件およびこの動作条件が満たされた場合の動作シーケンスが登録されているので、指導者によって想定された任意の事故に即応して、動作条件が満たされた開閉器のみを正確に動作させることができる。
【００２１】
監視制御システム用シミュレータによれば、動作条件が成立した動作シーケンスのみが実行されることによって、指導員によって想定される任意の事故に対応して、常に、その動作条件が満たされる動作シーケンスのみが実行されて、ディスプレー上に正しく表示されるのみならず、その想定事故の変更・追加があっても、直ちに、その動作条件が満たされた動作シーケンスのみが実行されて、その変更・追加された想定事故に対応した表示が可能になる。
【００２２】
本発明の請求項２に記載された監視制御システム用シミュレータは、前記電力系統が複数の母線を有し、それぞれの母線に複数の断路器が接続されており、前記複数の母線に接続された複数の断路器のうち少なくとも１個ずつの断路器の１次側を共通接続して電力供給側の開閉器を介して電力供給系統に接続すると共に、前記とは異なる少なくとも１個ずつの断路器の各２次側を共通接続して電力出力側の開閉器を介して電力出力系統に接続したことを特徴とするものである。
【００２３】
このような監視制御システム用シミュレータによれば、事故シミュレーションによって、複数の電力供給側開閉器の開閉状態がどのようになっており、複数の母線のどれが活きているか、もしくは、複数の電力供給系統のいずれが活きているか、あるいは、複数の電力出力側開閉器の開閉状態がどのようになっており、電力出力系統に電力が出力されているかどうか、もしくは、複数の電力出力系統のいずれが活きて負荷に電力を出力しているかどうかなどを、シミュレーションすることができる。
【００２４】
本発明の請求項３に記載された監視制御システム用シミュレータは、前記電力供給側の断路器が複数組あり、それぞれ異なる電力供給系統に接続すると共に、前記電力出力側の断路器が複数組あり、それぞれ異なる電力出力系統に接続したことを特徴とするものである。
【００２５】
このような監視制御システム用シミュレータによれば、複数組の電力供給側断路器の開閉状態がどのようになっているか、あるいは、複数組の電力出力側断路器の開閉状態がどのようになっているかなど、各種の動作状態をシミュレーションによって再現することができる。
【００２６】
【発明の実施の形態】
以下、本発明に係る監視制御システム用シミュレータを、電力系統監視制御システムに適用した実施形態について、図面を参照して説明する。
【００２７】
図１は、本発明の実施形態の電力系統監視制御システム用シミュレータにおける事故データの構成を示し、図２は、事故シミュレーション訓練時の動作概要説明図である。
【００２８】
図１において、A S/Sは電力系統を示し、例えば、７７ｋＶ甲母線１と、７７ｋＶ乙母線２とを有し、甲母線１には複数の断路器３，４，５，６，７，８が接続され、乙母線２には複数の断路器９，１０，１１，１２，１３，１４が接続されている。前記甲母線１側の断路器３と乙母線２側の断路器９、同様に断路器４と１０、５と１１、６と１２、７と１３、８と１４はそれぞれ対を成しており、それぞれの一方側が前記甲母線1または乙母線２に接続されていると共に、他方側は共通接続されている。
【００２９】
前記対を成す断路器３と９、４と１０の他方側である共通接続側は、それぞれ電力供給側であり、それぞれ開閉器２１，２２を介して電力供給系統４１，４２に接続されている。また、前記対を成す断路器５と１１、６と１２の他方側である共通接続側は、それぞれ電力出力側であり、それぞれ開閉器３１，３２を介して電力出力系統５１，５２に接続されている。
【００３０】
なお、前記対を成す断路器７と１３、８と１４は、必要に応じて設置される電力系統拡充用のものであり、他方側である共通接続側は、それぞれ開閉器３３，３４を介して電力出力系統５３，５４に接続されている。
【００３１】
上記の構成において、前記対を成す断路器３と９、４と１０、５と１１、６と１２、７と１３、８と１４とは、原則的には、いずれか一方のみがオン状態となるものである。ここで、上記の「原則的には、」なる用語は、ほとんどの時間帯において、いずれか一方のみの断路器がオン状態になるが、厳格な意味で、常にいずれか一方のみがオン状態になることを意味するものではなく、断路器の切り換え時の非常に短い時間には、両方の断路器が同時にオン状態になる場合を含むことを意味するものである。
【００３２】
すなわち、前述のとおり、電力系統の事故などによる停電は、需要家に多大な損害をもたらすので、停電状態は回避しなければならない。そのため、例えば、電力供給系統４１において、甲母線１への給電状態（断路器３はオン、断路器９はオフ）から、乙母線２への給電状態（断路器３はオフ、断路器９はオン）への切り換え時に、もし、断路器３をオフ状態にしてから断路器９をオン状態にすれば、その切り換え途中において両断路器３，９共にオフ状態になる時間が存在することになる。そうすれば、その時間は電力出力側では停電状態になるので、この断路器３，９の切り換え時に限って、短時間だけ両断路器３，９が共にオン状態になるようにすることによって、停電状態を回避するのである。切り換え終了後は、断路器９のみがオン状態になることはもちろんである。
【００３３】
このような動作は、図示とは逆に、乙母線２への給電状態（断路器３はオフ、断路器９はオン）から、甲母線１への給電状態（断路器３はオン、断路器９はオフ）への切り換え時についても同様である。また、上記以外の他の対を成す断路器４と１０、５と１１、６と１２、７３、８と１４についても同様である。
【００３４】
今、図示するように、全ての開閉器２１〜３４が閉状態であり、各断路器７〜１４のうち、×印付きが「オフ状態」で、無印が「オン状態」とする。すると、電力供給系統４１から開閉器２１および断路器３を介して甲母線１に電力が供給されると共に、電力供給系統４２から開閉器２２および断路器１０を介して乙母線２に電力が供給される。
【００３５】
また、甲母線１から断路器５および開閉器３１を介して、電力出力系統５１に電力が出力されると共に、乙母線２から断路器１２および開閉器３２を介して、電力出力系統５２に電力が出力されている。
【００３６】
なお、図示例では、甲母線１から電力系統拡充用の断路器７および開閉器３３を介して、電力出力系統５３に電力が出力されていると共に、乙母線２から電力系統拡充用の断路器１４および開閉器３４を介して、電力出力系統５４に電力が出力されている。
【００３７】
図１において、６０は監視データを示し、この監視データ６０は、開閉器２１，２２，３１，３２，３３，３４ごとに、その動作条件および動作シーケンスを集成することによって作成する。例えば、電力供給側の開閉器２２に関して述べれば、この開閉器２２が動作する条件として、電力供給系統４２の図示しない変圧器の変圧器事故６１ａ、甲母線事故６１ｂ、乙母線事故６１ｃなどによる監視データ６１を作成する。なお、図示は省略しているが、他の電力供給側の開閉器２１に関しても、同様にその動作条件および動作シーケンスを集成して監視データを作成する。
【００３８】
また、例えば、電力出力側の開閉器３２に関しては、この開閉器３２が動作する条件として、線路事故６２ａ、甲母線事故６２ｂ、乙母線事故６２ｃなどによる監視データ６２を作成する。なお、図示は省略しているが、他の電力出力側の開閉器３１に関しても、同様にその動作条件および動作シーケンスを集成して監視データを作成する。
【００３９】
さらに、系統拡充用の断路器７，１３および開閉器３３を設けた場合は、図示破線で示すように、例えば、開閉器３３に関して、線路事故６３ａ，甲母線事故６３ｂ、乙母線事故６３ｃなどによる監視データ６３を作成する。なお、他に系統拡充用の断路器８，１４および開閉器３４を設けた場合は、図示は省略しているが、電力出力側の開閉器３４に関しても、同様にその動作条件および動作シーケンスを集成して監視データを作成する。
【００４０】
このようにして、開閉器２１，２２，３１，３２，３３，３４ごとに動作条件および動作シーケンスを集成して監視データ６０が作成されると、次に、この監視データ６０に基づいて、事故データ７０を作成する。すなわち、この事故データ７０は、前記監視データ６０の中から、断路器の接続状態に関係なく甲母線1に関連する開閉器２１，２２，３１，３２，３３，３４の監視データ６１ｂ、６２ｂなどを集約させた甲母線事故データ７１と、断路器の接続状態に関係なく乙母線２に関連する開閉器２１，２２，３１，３２，３３，３４の監視データ６１ｃ、６２ｃなどを集約させた乙母線事故データ７２とに分類して作成する。
【００４１】
次に、図２を用いて、監視制御用システムを用いた事故シミュレーション訓練時の動作概要について説明する。
【００４２】
なお、図２では、前述のように、甲母線１に断路器３〜８が接続されると共に、乙母線２に断路器９〜１４が接続されており、断路器５と１１との共通接続側が開閉器３１を介して電力出力系統５１に接続されていると共に、断路器６と１２との共通接続側が開閉器３２を介して電力出力系統５２に接続されている。そして、これらの電力出力系統５１，５２が、電力出力線路５５の１Ｌ，２Ｌを構成している。
【００４３】
また、系統拡充用の断路器７と１３との共通接続側が開閉器３３を介して電力出力系統５３に接続されていると共に、断路器８と１４との共通接続側が開閉器３４を介して電力出力系統５４に接続されている。そして、これらの電力出力系統５３，５４が、電力出力線路５６の１Ｌ，２Ｌを構成している。
【００４４】
今、図示するように、乙母線２側の断路器９と１１の間が断線事故を発生した事故点（事故想定設備）ａであると想定すると、乙母線２の事故に対する開閉器２２の動作条件８０は、例えば、開閉器２２（ＣＢ２２）の「投入」、甲母線1（ＬＳ１）は「開放」、乙母線２（ＬＳ２）は「投入」、７７ｋＶ母線の４３ブス・プロテクタ（４３ＢＰ）は「使用」である。
【００４５】
なお、上記の事故には、例えば、雷撃のような瞬間的な「瞬時事故」と、例えば、凧の金属部がショート状態を継続するような「永久事故」とがある。前者の「瞬時事故」は、一瞬後には復旧するので、開放状態になった開閉器を手動で閉状態にすることによって復旧させることができる。これに対して、後者の「永久事故」は、事故原因である、例えば、凧を除去してショート状態を解除しない限り、復旧させることができない。
【００４６】
また、その「動作シーケンス」９０は、乙母線２のＳＡ-Ｓ（Super Alarm-Short）「動作」→乙母線２のオシロスコープ「動作」→乙母線２に関連する母線差動保護装置短絡表示器（Ｂ８７Ｓ）「動作」→動作時限「０ｓｅｃ」→開閉器２２（ＣＢ２２）「開放」の動作を所定の順序およびタイミングで実行する。
【００４７】
図２には、上記のようにして作成した各訓練事故ケースの中から、指導員の操作により選択された「事故発生シーケンス」の起動を行なった場合のフロー１００が併示されている。
【００４８】
すなわち、指導員が想定した事故を訓練起動（事故発生）すると（１０１）、起動された「事故発生シーケンンス」内に登録した「監視データ」６０が自動起動され、それぞれの「動作条件」８０を常時監視する（１０２）。
【００４９】
また、「動作条件」８０に合致した「監視データ」６０は「動作シーケンス」９０を実行し、開閉器２１，２２および３１〜３４のトリップ（開放）およびリレーの動作表示など事故シミュレーションを実施する。例えば、図２に示す乙母線２の事故点ａであれば、乙母線２に接続されている開閉器２２，３２，３４の「動作シーケンス」９０が自動実行されて（１０３）、それぞれ閉状態からトリップして開放状態にする。
【００５０】
また、訓練員が復旧のため試充電などの操作実施、例えば、開閉器２２（ＣＢ２２）を手動で閉状態に操作実施すると（１０４）、その変更された系統状態に対して、再度、「動作条件」８０が成立し、「動作シーケンス」９０に設定した開閉器のトリップおよびリレーの動作表示などが自動実行される（１０５）。もし、訓練員による復旧操作が正しければ、事故が復旧する（１０６）。
【００５１】
また、もし、訓練員の復旧操作の間違い、例えば、前述の「永久事故」に対して事故原因が除去されていないにも拘わらず訓練員が試充電を実行したような場合や、正しくは開閉器２２を閉状態にすべきであるにも拘わらず他の開閉器を閉状態にしたような場合などは、指導員の指導に基づいて、再度、訓練員が復旧操作を考えて、例えば、開閉器２２を手動でオン状態にする試充電などの操作を実施する（１０４）ことによって、その試充電操作により成立した「監視データ」６０の「動作シーケンス」９０が自動実行される（１０５）。その復旧操作が正しければ、事故が復旧する（１０６）。
【００５２】
なお、「動作条件」８０の常時監視（１０２）は、指導員の操作による事故解除が行なわれるまで、継続して行なう。
【００５３】
以上のように、「事故発生シーケンンス」に集約した「監視データ」の「動作条件」が成立した時だけ、「動作シーケンス」を実行するため、運用形態の変更や、系統拡充などの運用形態の追加に対しても、「監視データ」の補充だけで対応でき、従来のようなシナリオの変更・追加やソフトウェアの変更などの煩雑な操作は不要になる。
【００５４】
図３は、給電制御所における訓練シミュレータのハードウェア構成例を示す。図において、２００は監視制御システム（実運用設備）、２１０は電力実績などを収納した計画支援サーバ、２２０は設備データなどを収納したメンテナンスサーバ、２３０は系統シミュレーションほかを行なう訓練シミュレータ、２４０は操作卓用パソコン、２５０は操作卓３ディスプレー、２６０は大型ディスプレー装置用の投射型プロジェクタ、２７０は投射型プロジェクタ２６０による系統図などを表示する大型ディスプレー装置である。
【００５５】
前記操作卓用パソコン２４０は、図示例では、訓練員用２４０ａ，２４０ｂの２卓と、兼用卓２４０ｃが１卓と、指導員用２４０ｄが１卓の計４卓で構成されている。兼用卓２４０ｃは、訓練内容や訓練者数などに応じて、適宜、訓練員用または指導者用として使用する。
【００５６】
ここで、各操作卓パソコン２４０ａ〜２４０ｄに接続された３ディスプレー２５０は、それぞれ３つのディスプレー２５０ａ，２５０ｂ，２５０ｃを備えている。前記投射型プロジェクタ２６０は、前記ディスプレー２５０ａ，２５０ｂ，２５０ｃに関連した内容を表示するため、３台の投射型プロジェクタ２６０ａ，２６０ｂ，２６０ｃを構成しており、前記大型ディスプレー装置２７０も、前記３台の投射型プロジェクタ２６０ａ，２６０ｂ，２６０ｃに対応して、３台の大型ディスプレー装置２７０ａ，２７０ｂ，２７０ｃを並置して構成されている。
【００５７】
したがって、前記操作卓用ディスプレー２５０ａ，２５０ｂ，２５０ｃおよび大型ディスプレー装置２７０ａ，２７０ｂ，２７０ｃにおいて、例えば、操作卓用ディスプレー２５０ａでは「電力系統」を表示し、２５０ｂでは「制御指令」を表示および制御し、２５０ｃではその制御に必要な「制御操作」を表示し、これら２５０ａ〜２５０ｃの内容に関連する情報を、大型ディスプレー装置２７０ａ〜２７０ｃを用いて表示するように、訓練員相互の共通情報表示を行なうことが可能である。あるいは、操作卓用ディスプレー２５０ａ〜２５０ｃまたは大型ディスプレー装置２７０ａ〜２７０ｃを利用して、例えば、「電力系統図」を表示するといった使用法も可能である。
【００５８】
上記の電力系統監視制御システム用シミュレータによれば、次のような特長がある。
１．事故データと実運用設備のホストコンピュータに登録された実運用設備の機器データとを、シミュレーション訓練用のパソコンやサーバに取り込んで、ディスプレー、マウスコントロールで実運用設備と同様なユーザインタフェースを提供できる。
２．離れた場所に複数の電力センターを設ける場合でも、各電力センターに大型のＥＷＳ（エンジニアリング・ワーク・ステーション）を用いた訓練シミュレータを設置することが不要である。
３．各電力センターが単独でも、あるいは、給電制御所と電力センターが合同した訓練も可能になる。
４．訓練シミュレータがシミュレーションする機器データは、実運用設備におけるホストコンピュータに登録している実運用設備の機器データを変更・追加することにより、その実運用設備の機器データを取り込む訓練用シミュレータは、自動的にシミュレーションする機器データを変更・追加できるので、各訓練シミュレータのメンテナンスが不要である。
５．任意の系統事故をシミュレーション可能である。
６．潮流設定は実運用設備の電力実績データを使用できるので、容易な事故設定を可能にしたユーザインタフェースである。
【００５９】
【発明の効果】
以上説明したように、本発明の監視制御システム用シミュレータは、開閉器毎に監視データを設定し、この監視データを集約したものが一つの事故であり、事故データに集約した複数の監視データを監視し、想定した事故シミュレーションにおける動作条件が成立したときのみ、成立した動作条件の開閉器の動作シーケンスが自動実行される。このため、想定事故を変更・追加の都度、シナリオを作成することが不要になり、ソフトウェアを変更することが不要になって、大幅なコストダウンが実現できると共に、その変更・追加を極めて短時間で実施できる。また、監視制御システムを構成する機器の動作状態をディスプレー上に表示して訓練員に提示することができ、その提示された表示内容によって、訓練員が事故の発生場所や発生した事故内容を把握することができると共に、その発生事故に対して必要な復旧操作を考えて、電源系統の復旧を行なう訓練ができる。
【図面の簡単な説明】
【図１】本発明の実施形態に係る電力系統監視制御システム用シミュレータの事故データの構造図である。
【図２】本発明の実施形態に係る電力系統監視制御システム用シミュレータの事故シミュレーション訓練時の動作概要図である。
【図３】本発明の実施形態に係る電力系統監視制御システム用シミュレータの給電制御所における訓練シミュレータのハードウェア構成例を示す説明図である。
【符号の説明】
１ 甲母線
２ 乙母線
３〜１４ 断路器
２１，２２ 制御機器（電力供給側開閉器）
３１〜３４ 制御機器（電力出力側開閉器）
４１，４２ 電力供給系統
５１〜５４ 電力出力系統
５５，５６ 電力出力線路
６０ 監視データ
７０ 事故データ
８０ 動作条件
９０ 動作シーケンス
１００ 事故発生シーケンスフロー
１０１ 事故発生
１０２ 動作条件の常時監視
１０３ 動作シーケンスの自動実行
１０４ 試充電などの操作実施
１０５ 動作シーケンスの自動実行
１０６ 事故復旧
２００ 監視制御システム（実運用設備）
２１０ 計画支援サーバ
２２０ メンテナンスサーバ
２３０ 訓練シミュレータ
２４０ 操作卓用パソコン
２５０ 操作卓３ディスプレー
２６０ 投射型プロジェクタ
２７０ 大型ディスプレー装置
ａ 事故点（事故想定設備）
【図１】
0004018392.tif 000002
【図２】
0004018392.tif 000003
【図３】
0004018392.tif 000004